(57)【要約】      （修正有）【課題】耐久性のより高い洗浄便座装置を提供する。【解決手段】洗浄便座装置は、先端に洗浄水の吐出孔を備えた洗浄用ノズル２１と、前記洗浄用ノズルが進退可能に内挿されたシリンダとを備えている。前記洗浄用ノズル２１は、その基端に、前記洗浄水を一時的に堰き止めるように構成された堰き止め部６１と、前記堰き止め部６１に対して前記先端側に位置し、前記堰き止め部６１と一体成型され、前記堰き止め部６１より径が小さく、洗浄水を前記洗浄用ノズル内に導入するための少なくとも１つの孔６２Ｈが設けられた洗浄水導入部６２とを備えている。【選択図】図５
0003194772.tif 000002
【実用新案登録請求の範囲】
【請求項１】
先端に洗浄水の吐出孔を備えた洗浄用ノズルと、前記洗浄用ノズルが進退可能に内挿されたシリンダとを備えた洗浄便座装置であって、
前記洗浄用ノズルは、その基端に、
前記洗浄水を一時的に堰き止めるように構成された堰き止め部と、
前記堰き止め部に対して前記先端側に位置し、前記堰き止め部と一体成型され、前記堰き止め部より径が小さく、洗浄水を前記洗浄用ノズル内に導入するための少なくとも１つの孔が設けられた洗浄水導入部と
を備えている洗浄便座装置。
【請求項２】
前記堰き止め部と前記洗浄水導入部とを備えた部材は前記洗浄用ノズルの前記基端に埋め込み装着されている請求項１に記載の洗浄便座装置。
【請求項３】
前記洗浄水導入部は互いに向き合った位置に２つの前記孔を備えている請求項１又は２に記載の洗浄便座装置。
【考案の詳細な説明】
【技術分野】
【０００１】
本考案は、洗浄便座装置に関する。
【背景技術】
【０００２】
従来、便器上に設置して衛生的な用便を行うために、種々の洗浄便座装置が考案されてきた。これら洗浄便座装置は、肛門洗浄用ノズル及びビデ洗浄用ノズルを備えている。これらノズルの先端には、洗浄水を人体局部に向けて噴射するための吐出孔が設けられている。また、これらノズルは、それぞれのシリンダに進退可能に内挿されている。
【０００３】
ノズルによる人体局部の洗浄は、以下の流れで行われる。まず、洗浄水の水圧により、ノズルを所望の位置まで移動させる。その後、ノズル内に流入した洗浄水が上記吐出孔から人体局部に向けて噴射される。このように、ノズルの位置の移動と吐出孔からの洗浄水の噴射とは、共に洗浄水の水圧によって行われるため、利用者の便宜のためには、両者のタイミングをうまく調整することが重要である。
【０００４】
そのため、例えば、特許文献１及び２には、ノズルの基端に、付勢スプリングと、この付勢スプリングによってノズル内への水路を開閉する弁体とが設けられた構成が記載されている。このような構成を採用することにより、ノズルが水圧で押し出された後に、ノズル内に洗浄水が進入するようにすることができる。
【先行技術文献】
【特許文献】
【０００５】
【特許文献１】特許第３３３４２７８号公報
【特許文献２】特許第３２８７５０５号公報
【考案の概要】
【考案が解決しようとする課題】
【０００６】
本考案者らは、電源を必要としない非電動式の洗浄便座装置の開発を進めている。このような非電動式の洗浄便座装置は、特に、トイレに電源がないことが多い日本国外において大きなニーズを有している。
【０００７】
しかしながら、本考案者らは、非電動式の洗浄便座装置においては、水圧が安定しないことが多いために、付勢スプリングと弁体とを組み合わせた上記の構成は、過剰な水圧によって破壊されやすいことを新たに見出した。
そこで、本考案は、耐久性のより高い洗浄便座装置を提供することを目的としている。
【課題を解決するための手段】
【０００８】
本考案の一側面によると、先端に洗浄水の吐出孔を備えた洗浄用ノズルと、前記洗浄用ノズルが進退可能に内挿されたシリンダとを備えた洗浄便座装置であって、前記洗浄用ノズルは、その基端に、前記洗浄水を一時的に堰き止めるように構成された堰き止め部と、前記堰き止め部に対して前記先端側に位置し、前記堰き止め部と一体成型され、前記堰き止め部より径が小さく、洗浄水を前記洗浄用ノズル内に導入するための少なくとも１つの孔が設けられた洗浄水導入部とを備えている洗浄便座装置が提供される。
【考案の効果】
【０００９】
本考案によると、耐久性のより高い洗浄便座装置を提供することが可能となる。
【図面の簡単な説明】
【００１０】
【図１】図１は、本考案に係る洗浄便座装置が取り付けられた便器の一例を示す全体図である。
【図２】図２は、本考案に係る洗浄便座装置の一例を示す斜視図である。
【図３】図３は、従来の洗浄便座装置のノズル機構の一例を示す分解図である。
【図４】図４は、本考案に係る洗浄便座装置のノズル機構の一例を示す分解図である。
【図５】図５は、図４に示す洗浄便座装置のノズル機構の基端部の拡大図である。
【図６】図６は、図５に示す拡大図のＶＩ−ＶＩ線に沿った断面図である。
【考案を実施するための形態】
【００１１】
以下、本考案の実施形態の一例を説明する。  
図１は、本考案に係る洗浄便座装置の一例を示す全体図である。洗浄便座装置１０は、便蓋１１と便座１２とを備えている。便座１２は、ノズル機構２０を備えている。なお、洗浄便座装置１０において、便蓋１１は省略してもよい。
【００１２】
図２は、本考案に係る洗浄便座装置のノズル機構の一例を示す斜視図である。ノズル機構２０は、肛門洗浄用のノズル機構２０Ａと、ビデ洗浄用のノズル機構２０Ｂとを備えている。各ノズル機構は、先端に洗浄水の吐出孔を備えた洗浄用ノズルと、前記洗浄用ノズルが進退可能に内挿されたシリンダとを備えている。
【００１３】
図３は、従来の洗浄便座装置のノズル機構の一例を示す分解図である。これらノズル機構３０は、肛門洗浄用のノズル機構３０Ａと、ビデ洗浄用のノズル機構３０Ｂとを備えている。肛門洗浄用のノズル機構３０Ａは、先端に洗浄水の吐出孔を備えた洗浄用ノズル３１Ａと、前記洗浄用ノズルが進退可能に内挿されたシリンダ３２Ａとを備えている。ビデ洗浄用のノズル機構３０Ｂは、先端に洗浄水の吐出孔を備えた洗浄用ノズル３１Ｂと、前記洗浄用ノズルが進退可能に内挿されたシリンダ３２Ｂとを備えている。
【００１４】
肛門洗浄用のノズル機構３０Ａは、上述した通り、その先端に洗浄水の吐出孔を備えている。加えて、ノズル機構３０Ａは、その基端に、付勢スプリング４１Ａと、この付勢スプリング４１Ａによってノズル内への水路を開閉する弁体４２Ａとが設けられている。この基端の構成は、ノズル３１Ａが水圧によってシリンダ３２Ａの先端から押し出された後に、ノズル３１Ａ内に洗浄水が進入するようにするためのものである。なお、ビデ洗浄用のノズル機構３０Ｂの基端にも、同様に、付勢スプリング４１Ｂと弁体４２Ｂとが設けられている。
【００１５】
しかしながら、本考案者らは、非電動式の洗浄便座装置において図３に示すノズル機構を用いた場合、以下の問題が発生し得ることを見出した。即ち、非電動式の洗浄便座装置の場合、水圧が安定しないことが多いために、付勢スプリングと弁体とを組み合わせた上記の構成が、過剰な水圧によって破壊されやすいことを見出した。
この新たに見出した問題を解決すべく、本考案者らは、以下で説明する機構を考案した。
【００１６】
図４は、図４は、本考案に係る洗浄便座装置のノズル機構の一例を示す分解図である。図４に示すノズル機構２０は、肛門洗浄用のノズル機構２０Ａと、ビデ洗浄用のノズル機構２０Ｂとを備えている。肛門洗浄用のノズル機構２０Ａは、先端に洗浄水の吐出孔を備えた洗浄用ノズル２１Ａと、前記洗浄用ノズルが進退可能に内挿されたシリンダ２２Ａとを備えている。ビデ洗浄用のノズル機構２０Ｂは、先端に洗浄水の吐出孔を備えた洗浄用ノズル２１Ｂと、前記洗浄用ノズルが進退可能に内挿されたシリンダ２２Ｂとを備えている。
【００１７】
肛門洗浄用のノズル機構２０Ａ及びビデ洗浄用のノズル機構２０Ｂは、それぞれ、洗浄用ノズル２１Ａ及び２１Ｂの基端に、洗浄水制御部材５１Ａ及び５１Ｂを備えている。洗浄水制御部材５１Ａ及び５１Ｂは、それぞれ、洗浄用ノズル２１Ａ及び２１Ｂの基端に埋め込み装着されている。
図５は、図４に示す洗浄便座装置のノズル機構の基端部の拡大図である。図６は、図５に示す拡大図のＶＩ−ＶＩ線に沿った断面図である。
【００１８】
上述した通り、洗浄水制御部材５１は、洗浄用ノズル２１の基端に埋め込み装着されている。洗浄水制御部材５１は、堰き止め部６１と、洗浄水導入部６２とを備えている。堰き止め部６１は、典型的には円盤状であり、洗浄水を一時的に堰き止めるように構成されている。洗浄水導入部６２は、堰き止め部６１に対してノズル機構２０の先端側に位置している。洗浄水導入部６２は、堰き止め部６１と一体成型されている。洗浄水導入部６２は、堰き止め部６１より径が小さい。洗浄水を洗浄用ノズル２１内に導入するための少なくとも１つの孔６２Ｈが設けられている。
【００１９】
堰き止め部６１は、上述したとおり、洗浄水を一時的に堰き止めるように構成されている。そして、洗浄水導入部６２は、堰き止め部６１に対してノズル機構２０の先端側に位置しており且つ堰き止め部６１より径が小さい。したがって、洗浄水は、堰き止め部６１の周縁を回りこむことによって初めて洗浄水導入部６２の孔６２Ｈに到達することができる。それゆえ、このような構成を採用することにより、洗浄水が洗浄用ノズル２１内に導入されるまでに、数秒間のタイムラグを与えることができる。即ち、これにより、洗浄用ノズル２１が水圧で押し出された後に、洗浄用ノズル２１内に洗浄水が進入するようにすることができる。
【００２０】
また、上述した通り、洗浄水導入部６２は、堰き止め部６１と一体成型されている。そして、洗浄水制御部材５１は、洗浄用ノズル２１の基端に埋め込み装着されている。それゆえ、この洗浄水制御部材５１は、付勢スプリング４１Ｂと弁体４２Ｂとを用いた構成と比較して強度が高い。したがって、この洗浄水制御部材５１を用いることにより、非電動式の洗浄便座装置の場合であっても、その不安定且つ過剰な水圧に対して、高い耐久性を与えることができる。なお、洗浄水制御部材５１は、洗浄用ノズル２１の基端に埋め込み装着されていなくてもよい。例えば、洗浄水制御部材５１は、洗浄用ノズル２１の基端部と一体成型されていてもよい。
【００２１】
堰き止め部６１は、上述した通り、典型的には円盤状である。堰き止め部６１の基端側の面は、平面であってもよく、曲面であってもよい。堰き止め部６１の径の大きさ及びその基端側の面の形状などを変化させることにより、上述したタイムラグの大きさを適切に調節することができる。
【００２２】
洗浄水導入部６２に設けられた孔６２Ｈの数は、１つ以上であれば特に制限はない。例えば、孔６２Ｈは、互いに向き合った位置に２つ設けられていてもよい。また、孔６２Ｈを複数設ける場合、それら孔６２Ｈの大きさは、互いに同一であってもよく、互いに異なっていてもよい。これらの孔６２Ｈの数や配置を変化させることによっても、上述したタイムラグの大きさを適切に調節することができる。
【００２３】
洗浄水導入部６２の形状には、径が堰き止め部６１より小さい限り制限はない。例えば洗浄水導入部６２は、基端側から先端側に向けて径が次第に大きくなる形状を有していてもよい。洗浄水導入部６２の形状を変化させることによっても、上述したタイムラグの大きさを適切に調節することができる。
【符号の説明】
【００２４】
１０…洗浄便座装置、１１…便蓋、１２…便座、２０…ノズル機構、２０Ａ…肛門洗浄用のノズル機構、２０Ｂ…ビデ洗浄用のノズル機構、２１…ノズル、２１Ａ…ノズル、２１Ｂ…ノズル、２２Ａ…シリンダ、２２Ｂ…シリンダ、３０…ノズル機構、３０Ａ…肛門洗浄用のノズル機構、３０Ｂ…ビデ洗浄用のノズル機構、３１Ａ…ノズル、３１Ｂ…ノズル、３２Ａ…シリンダ、３２Ｂ…シリンダ、４１Ａ…付勢スプリング、４１Ｂ…付勢スプリング、４２Ａ…弁体、４２Ｂ…弁体、５１…洗浄水制御部材、５１Ａ…洗浄水制御部材、５１Ｂ…洗浄水制御部材、６１…堰き止め部、６２…洗浄水導入部、６２Ｈ…孔
【図１】
0003194772.tif 000003
【図２】
0003194772.tif 000004
【図３】
0003194772.tif 000005
【図４】
0003194772.tif 000006
【図５】
0003194772.tif 000007
【図６】
0003194772.tif 000008